(57)【特許請求の範囲】
【請求項１】
光ファイバを保持したハウジングと光部品を保持し、下面が基板実装面とされたレセプタクルとよりなり、レセプタクルの上面側からハウジングをレセプタクルに嵌合して一体化することにより、光ファイバと光部品の光軸が一致されて光結合され、その光軸方向はハウジングとレセプタクルの嵌合方向と直交する方向とされている光モジュールであって、
上記ハウジングの下面に突設されて、その先端中央部に互いに内向きに突起を有する一対の係止片が、上記レセプタクルの両側面に形成された一対の凹部に嵌合され、その凹部の底面に設けられた段部に上記突起が係止されることによって上記一体化が行われると共に、上記ハウジングの下面に位置されている光ファイバ端部が上記レセプタクルに形成されているガイド溝によって位置決めされることによって上記光結合が行われる構造とされ、
上記ハウジングの上記一対の係止片の互いの内側に、上記係止片の突出方向に貫通し、その一内壁面が上記係止片の内側面の延長面とされた貫通孔がそれぞれ形成され、
上記凹部の底面の上記段部の両側に、上記一体化された状態で上記貫通孔と連通する溝がそれぞれ形成されていることを特徴とする光モジュール。
【請求項２】
光ファイバを保持したハウジングと光部品を保持し、下面が基板実装面とされたレセプタクルとよりなり、レセプタクルの上面側からハウジングをレセプタクルに嵌合して一体化することにより、光ファイバと光部品の光軸が一致されて光結合され、その光軸方向はハウジングとレセプタクルの嵌合方向と直交する方向とされている光モジュールであって、
上記ハウジングの下面に突設されて、その中央部に窓を有する一対の係止片が、上記レセプタクルの両側面に形成された一対の凹部に嵌合され、その凹部の底面に突設された突起に上記窓が係止されることによって上記一体化が行われると共に、上記ハウジングの下面に位置されている光ファイバ端部が上記レセプタクルに形成されているガイド溝によって位置決めされることによって上記光結合が行われる構造とされ、
上記ハウジングの上記一対の係止片の互いの内側に、上記係止片の突出方向に貫通し、その一内壁面が上記係止片の内側面の延長面とされた貫通孔がそれぞれ形成され、
上記凹部の底面の上記突起の両側に、上記一体化された状態で上記貫通孔と連通する溝がそれぞれ形成されていることを特徴とする光モジュール。
【発明の詳細な説明】
【０００１】
【発明の属する技術分野】
この発明はレーザーダイオードやフォトダイオード等の光部品と光ファイバとを光学的に接続する光モジュールに関する。
【０００２】
【従来の技術】
マルチメディア時代に向けて、高速・大容量のデータ伝送技術の確立が急務となり、光ファイバボードを用いた光バスの検討が行われるようになった。光ファイバボードは基板上に複数の光ファイバ、電気／光（光／電気）変換回路、スターカップラ、光コネクタ等が配置されて構成されるものであり、この光ファイバボードにおいて、基板上に布線された光ファイバと、電気／光（光／電気）変換素子であるレーザーダイオードやフォトダイオード等の光部品とを小型な構成で簡易に接続すべく、それらをモジュール化することが提案されている。
【０００３】
図５は従来提案されている、この種の光モジュールの構成の一例を各部に分解して示したものであり、この光モジュールは光ファイバ１１を保持するハウジング１２と、レーザーダイオードやフォトダイオード等の光部品１３を保持するレセプタクル１４とよりなり、それらが嵌合されて一体化されるものとなっている。
【０００４】
光ファイバ１１のハウジング１２への固定はファイバ固定板１５を使用して行われ、光ファイバ１１はハウジング１２とファイバ固定板１５の互いの対向面に形成されて対をなす溝１６ａ，１６ｂに位置決めされて、ハウジング１２とファイバ固定板１５とによって挟持されるものとなっている。一方、光部品１３はレセプタクル１４に形成された収容孔１７に、その先端側部分が挿入嵌合されてレセプタクル１４に保持されるものとなっている。図中、１３ａは光部品１３に配設されているレンズを示す。
【０００５】
ハウジング１２とレセプタクル１４との一体化は、ハウジング１２の中間部に突設した一対の係止片１８を、レセプタクル１４の両側面に形成した一対の凹部１９に嵌合挿入し、一対の係止片１８の先端に互いに内向きに形成した突起２１を凹部１９の底面に設けた段部２２にそれぞれ係止させることによって行われる。
【０００６】
図６Ａは上記のようにしてハウジング１２とレセプタクル１４とが一体化された状態を示したものであり、この状態で光ファイバ１１の端部の裸光ファイバ（ファイバ素線）１１ａ部分はレセプタクル１４の基部２３に形成されているガイド溝２４によって図６Ｂに示したように位置決めされ、これにより光ファイバ１１と光部品１３の光軸が一致され、光ファイバ１１の端面１１ｂが光部品１３のレンズ１３ａと対向されて、それらが光結合されるものとなっている。
【０００７】
【発明が解決しようとする課題】
ところで、上記のように嵌合一体化されて構成された光モジュール２５においては、例えば光ファイバ１１の端面１１ｂにゴミが付着してしまった場合、ゴミによって光路が遮断され、所要の光量が得られなくなるといった状況が発生し、このような場合には直ちにハウジング１２をレセプタクル１４より取り外して光ファイバ１１の端面１１ｂの清掃を行わなければならない。
【０００８】
しかるに、ハウジング１２を取り外すには係止片１８の係止を解除すべく、図６Ｂ中に矢印で示した方向に力を加える必要があり、つまりレセプタクル１４の底面近くに工具を挿入しなければならず、基板上に実装されている状態ではこのような取り外し作業は極めてやりずらいものとなっていた。なお、レセプタクル１４は接着や半田付け等によって基板に固着されているため、レセプタクル１４を、つまり光モジュール２５全体を基板から取り外すといったことも容易ではなく、よって従来の光モジュール２５はメンテナンス性において問題があるものとなっていた。
【０００９】
この発明の目的は、上述した問題点に鑑み、例えば光ファイバ端面にゴミが付着した場合でも容易に分解・清掃することができるよう、メンテナンス性を大幅に向上させた光モジュールを提供することにある。
【００１０】
【課題を解決するための手段】
請求項１の発明によれば、光ファイバを保持したハウジングと光部品を保持し、下面が基板実装面とされたレセプタクルとよりなり、レセプタクルの上面側からハウジングをレセプタクルに嵌合して一体化することにより、光ファイバと光部品の光軸が一致されて光結合され、その光軸方向はハウジングとレセプタクルの嵌合方向と直交する方向とされている光モジュールは、ハウジングの下面に突設されて、その先端中央部に互いに内向きに突起を有する一対の係止片が、レセプタクルの両側面に形成された一対の凹部に嵌合され、その凹部の底面に設けられた段部に上記突起が係止されることによって上記一体化が行われると共に、ハウジングの下面に位置されている光ファイバ端部がレセプタクルに形成されているガイド溝によって位置決めされることによって上記光結合が行われる構造とされ、ハウジングの一対の係止片の互いの内側に、係止片の突出方向に貫通し、その一内壁面が係止片の内側面の延長面とされた貫通孔がそれぞれ形成され、上記凹部の底面の上記段部の両側に、上記一体化された状態で上記貫通孔と連通する溝がそれぞれ形成されているものとされる。
【００１１】
請求項２の発明によれば、光ファイバを保持したハウジングと光部品を保持し、下面が基板実装面とされたレセプタクルとよりなり、レセプタクルの上面側からハウジングをレセプタクルに嵌合して一体化することにより、光ファイバと光部品の光軸が一致されて光結合され、その光軸方向はハウジングとレセプタクルの嵌合方向と直交する方向とされている光モジュールは、ハウジングの下面に突設されて、その中央部に窓を有する一対の係止片が、レセプタクルの両側面に形成された一対の凹部に嵌合され、その凹部の底面に突設された突起に上記窓が係止されることによって上記一体化が行われると共に、ハウジングの下面に位置されている光ファイバ端部がレセプタクルに形成されているガイド溝によって位置決めされることによって上記光結合が行われる構造とされ、ハウジングの一対の係止片の互いの内側に、係止片の突出方向に貫通し、その一内壁面が係止片の内側面の延長面とされた貫通孔がそれぞれ形成され、上記凹部の底面の上記突起の両側に、上記一体化された状態で上記貫通孔と連通する溝がそれぞれ形成されているものとされる。
【００１２】
【発明の実施の形態】
この発明の実施の形態を図面を参照して実施例により説明する。なお、図５及び６と対応する部分には同一符号を付し、その説明を省略する。
図１は請求項１の発明の実施例を示したものである。この例ではハウジング１２に図に示したように細長い矩形状に開口する一対の貫通孔３１が形成される。これら貫通孔３１は各係止片１８の延長上に形成されており、即ち一対の係止片１８の互いの内側において、係止片１８の突出方向にハウジング１２を貫通し、その外側内壁面３１ａが係止片１８の内側面１８ａの延長面とされて形成されている。
【００１３】
各係止片１８の先端に設けられている突起２１は、この例では係止片１８の幅方向両端部を除く中央部のみに突設されたものとなっており、この構造により貫通孔３１はその矩形の両端部が突起２１によってさえぎられない構造となっている。
係止片１８が嵌合挿入されるレセプタクル１４の凹部１９の底面には、その中央部にのみ、突起２１と係合する段部２２が設けられ、この段部２２の両側には溝３２がそれぞれ形成されている。
【００１４】
上記のような構造とされたハウジング１２とレセプタクル１４との一体化は、図５に示した従来の光モジュール２５と同様に、ハウジング１２に設けた一対の係止片１８をレセプタクル１４の凹部１９に嵌合挿入し、係止片１８の先端の突起２１を凹部１９の段部２２にそれぞれ係止させることによって行われる。
図２は上記のようにしてハウジング１２とレセプタクル１４とが一体化された状態における係止片１８部分の断面を示したものであり、一体化された状態でレセプタクル１４の凹部１９にそれぞれ形成されている一対の溝３２はハウジング１２の対応する貫通孔３１と図に示したように連通するものとなっている。
【００１５】
上記のような構成を有する光モジュール３３によれば、光ファイバ１１を保持したハウジング１２を光部品１３を保持したレセプタクル１４に嵌合一体化させることにより、光部品１３と光ファイバ１１とを簡単に接続することができる。
一方、ハウジング１２をレセプタクル１４から取り外したい場合には、互いに連通する貫通孔３１と溝３２とを使用することによって簡単に行うことができ、即ち図２中、矢印で示した方向に工具（図示せず）を貫通孔３１及びその先の溝３２に挿入し、突起２１の両側において工具で係止片１８の先端を外側へ押し広げることにより、突起２１の係止を解除することができ、よってハウジング１２を簡単に取り外すことができる。
【００１６】
従って、例えばハウジング１２をレセプタクル１４に嵌合した後に、光ファイバ１１の端面１１ｂにゴミが付着した場合でも、レセプタクル１４を基板等より取り外す必要はなく、極めて簡単に、その端面１１ｂの清掃を行えるものとなる。
図３は請求項２の発明の実施例を示したものであり、この例ではハウジング１２とレセプタクル１４との係止用の突起をハウジング１２側ではなく、レセプタクル１４側に設けたものとなっている。
【００１７】
レセプタクル１４の両凹部１９の底面には、突起３４がそれぞれ突設されており、突起３４の両側には溝３２がそれぞれ形成されている。一方、ハウジング１２に突設された一対の係止片１８には、その中央部に窓３５がそれぞれ形成されている。なお、この例では図に示したように窓３５は貫通孔３１に、その一部が臨むように大きく形成されている。
【００１８】
この図３に示した光モジュール３６においても、ハウジング１２とレセプタクル１４との一体化は、ハウジング１２の一対の係止片１８をレセプタクル１４の両凹部１９に嵌合挿入させることによって行われ、各窓３５の前縁が突起３４に係止されることにより、ハウジング１２とレセプタクル１４とが一体化される。図４Ａはこの係止状態を示したものである。
【００１９】
一方、ハウジング１２のレセプタクル１４からの取り外しは前述した光モジュール３３と同様にして行うことができ、即ち図４Ｂ中、矢印で示した方向に工具（図示せず）を貫通孔３１及び溝３２に挿入し、係止片１８の先端を工具で押し広げて係止を解除させることにより行われる。
係止用の突起は、これら図１及び３に示したように、ハウジング１２あるいはレセプタクル１４のいずれに設けてもよいが、ハウジング１２を合成樹脂製とし、レセプタクル１４を金属製とした場合には、レセプタクル１４に設けた方がより大きな強度を得ることができる。
【００２０】
【発明の効果】
以上説明したように、この発明によれば工具挿入用の互いに連通する貫通孔及び溝をハウジング及びレセプタクルに設けたことにより、例えば光モジュールを、その実装された基板から取り外すといったことを行わなくても極めて簡単に光ファイバを保持したハウジングをレセプタクルから取り外すことができ、よって例えば光ファイバ端面にゴミが付着してしまった場合でも、その清掃作業を容易に行うことができ、極めてメンテナンス性に優れた光モジュールを得ることができる。
【図面の簡単な説明】
【図１】請求項１の発明の実施例を示す分解斜視図。
【図２】一体化された図１の光モジュールの断面図。
【図３】請求項２の発明の実施例を示す分解斜視図。
【図４】一体化された図３の光モジュールの断面図、Ａはレセプタクルの突起位置の断面図、Ｂはレセプタクルの溝位置の断面図。
【図５】従来提案されている光モジュールの分解斜視図。
【図６】Ａは一体化された図５の光モジュールの斜視図、Ｂはその断面図。
【図１】
0003778719.tif 000002
【図２】
0003778719.tif 000003
【図３】
0003778719.tif 000004
【図４】
0003778719.tif 000005
【図５】
0003778719.tif 000006
【図６】
0003778719.tif 000007